(57)【要約】【課題】従来は、過去の設定のまま運転してしまうことがあったため、最適ではない温度で運転させてしまうことがあり、特に浴室での使用で無駄な電力・給水を招くことがあった。【解決手段】予め記憶した顔画像を基に温度設定をし、更に設定ズレを記憶・最適化して省電力・節水ができる給湯機であって、使用者ごとにカメラ部と顔画像抽出部にて顔画像情報を抽出し、設定情報と関連付けて記憶することで、入浴時に前記顔画像情報を基に設定情報を自動的に設定することで最適な運転をする。【選択図】図１
2012127561.tif 000002
【特許請求の範囲】
【請求項１】
給水、貯湯および熱源制御を行う貯湯装置と前記貯湯装置の動作を遠隔操作できるリモコン装置を複数接続できる給湯装置において、入浴者を検出する入室検出部と、入浴者を撮像するカメラ部と、前記カメラ部で撮像した画像から顔画像を抽出する顔画像抽出部と、操作を受け付ける操作部と、操作内容や給湯装置の状態を表示する表示部と、前記貯湯装置および前記リモコン装置の間で通信を行う通信部と、各部の動作を制御する制御部を前記リモコン装置に具備し、予め前記カメラ部と前記顔画像抽出部で抽出した使用者の顔画像情報と、個別の使用者が設定する前記貯湯装置の動作設定情報を関連付けて記憶する記憶部と、前記記憶部から顔画像情報を基に動作設定情報を抽出する設定情報抽出部を前記リモコン装置または前記貯湯装置の少なくともいずれか１つに具備し、前記入室検出部で入浴者を検出したのち前記設定情報抽出部は前記カメラ部と前記顔画像抽出部で抽出した入浴者の顔画像情報を基に前記記憶部から当該入浴者があらかじめ記憶させた動作設定情報を抽出して前記貯湯装置に指示することにより、当該入浴者が所望する前記貯湯装置の動作を自動で行うことができる制御手段を備えたことを特徴とする給湯装置。
【請求項２】
予め設定した前記貯湯装置の動作設定情報に対して変更した情報を抽出する変更抽出部を前記リモコン装置に具備することで、入浴中の変更情報を抽出することで、以降の前記貯湯装置の動作設定情報を入浴者の所望する動作に自動で補正して前記記憶部に記憶することができる制御手段を備えたことを特徴とする請求項１に記載の給湯装置。
【請求項３】
前記貯湯装置に屋外の温度・湿度を計測する温湿度計測部と、入浴中には変更情報と共に前記温湿度計測部が計測した屋外の温度・湿度を抽出し、動作設定をする際には顔画像情報と前記温湿度計測部が計測した屋外の温度・湿度を基に前記記憶部に記憶していた前記貯湯装置の動作設定情報を抽出する変更抽出部を前記リモコン装置に具備することで、入浴中の変更情報を前記温湿度計測部が計測した屋外の温度・湿度情報と共に関連付けて新たに前記記憶部に記憶し、以降の動作設定を行う際は複数記憶された設定情報から前記温湿度計測部で計測した屋外の温度・湿度情報と入浴者の顔画像情報を基にして前記貯湯装置の動作設定情報を抽出することで、入浴者が所望する動作となるように自動で補正することができる制御手段を備えたことを特徴とする請求項２に記載の給湯装置。
【請求項４】
前記給湯装置が設置されている地域設定と月日・時間を計測できる時間・地域情報部と、入浴中には変更情報と共に前記時間・地域情報部が提示する時間と地域の情報を抽出し、動作設定をする際には顔画像情報と前記時間・地域情報部が提示する時間と地域の情報を基に前記記憶部に記憶していた前記貯湯装置の動作設定情報を抽出する変更抽出部を前記リモコン装置に具備することで、入浴中の変更情報を前記時間・地域情報部が提示する時間と地域の情報と共に関連付けて新たに前記記憶部に記憶し、以降の動作設定の際には複数記憶された設定情報から前記時間・地域情報部が提示する時間と地域の情報と入浴者の顔画像情報を基にして抽出することで、入浴者が所望する動作となるように自動で補正することができる制御手段を備えたことを特徴とする請求項２に記載の給湯装置。
【請求項５】
前記貯湯装置に消費電力を計測できる電力計部と使用湯量を計測できる水量計部を具備することで、計測した電力と水量の情報の累積値を算出して表示し、使用者が入浴中に設定変更した際には、算出されている電力と水量の累積値と変更前の設定値を入浴者の顔画像情報と共に関連付けて新たに前記記憶部に記憶することで、設定値と電力・水量の関係を表示することができる制御手段を備えたことを特徴とする請求項２に記載の給湯装置。
【請求項６】
前記リモコン装置に使用者が設定した温度、省電力、節水の目標値を記憶する記憶部と、温度、省電力、節水の目標値と入浴中の温度設定値、電力および水量の累計値の比較および判定を行うＥＣＯ判定部、音声信号を再生できる音声再生部を具備することで、前記Ｅ
ＣＯ判定部は入浴中の温度設定、累積消費電力、累積消費水量と温度設定値、省電力、節水の目標値を抽出して比較・判定を行い、超過または接近していることを警告表示、音声報知し、超過した設定変更をした場合は変更を受け付けないことで、が目標とする省電力、節水が実現しやすくすることができる制御手段を備えたことを特徴とする請求項５に記載の給湯装置。
【発明の詳細な説明】
【技術分野】
【０００１】
本発明は、熱源制御、給水、貯湯の制御を行う貯湯装置と、台所リモコン装置および浴室リモコン装置を複数接続でき、前記貯湯装置の動作を前記台所リモコン装置および前記浴室リモコン装置によって遠隔操作を行うことができる給湯装置およびリモコン装置に関するものである。
【背景技術】
【０００２】
従来、給湯装置においては複数の場所、例えば、台所と浴室で直接温度設定をできないと言う課題があった。このため、お湯を作って貯えておく貯湯装置から複数の場所に向けて配水路を設け、更にそれぞれの場所に温度設定ができるリモコン装置を設置し、前記貯湯装置と各リモコン装置を通信で相互接続することで、複数の場所でもそれぞれの温度設定を可能とする方法が考案されている（例えば、特許文献１参照）。
【０００３】
図１４に従来の給湯装置およびリモコン装置のブロック図、図１５に浴室リモコン装置の制御手順例を示す。以下、図１４、図１５を参照して従来の給湯装置およびリモコン装置の動作について簡単に説明する。
【０００４】
従来の給湯装置は、図１４に示すように熱源制御、給水、貯湯の制御を行う貯湯装置と、浴室リモコン装置および台所リモコン装置を接続して構成されている。台所リモコン装置は、操作部１０１と、操作内容と貯湯装置の状態を表示する表示部１０３、貯湯装置に指示を出し貯湯装置の状態を受ける通信部１０４を備え、台所制御部１０２は前記操作部１０１から操作信号ａを受けて前記表示部１０３に表示信号ｂを送って表示をする。
【０００５】
また、前記台所制御部１０２は台所送受信信号ｃを介して前記通信部１０４を経て通信信号ｄによって操作内容を貯湯装置に伝える。また、貯湯装置からの通信信号ｄに台所リモコン装置に宛てた内容を前記通信部１０４で抽出し、その内容を前記台所送受信信号ｃによって受け、前記表示部１０３に表示信号ｂを送り貯湯装置の情報を表示する。
【０００６】
浴室リモコン装置も台所リモコン装置と同様に、操作部１０５、表示部１０７、通信部１０８を備え、浴室制御部１０６は前記操作部１０５からの操作信号ｆを受けて前記表示部１０７に表示信号ｇを送って操作内容を表示すると共に、浴室送受信信号ｈを介して前記通信部１０８を経て通信信号ｄによって操作内容を貯湯装置に伝える。
【０００７】
また、貯湯装置の通信信号ｄに浴室リモコン装置に宛てた内容があれば前記通信部１０４にて抽出し、その内容を浴室送受信信号ｈによって受け、前記表示部１０７に表示信号ｇを送って貯湯装置の情報を表示する。
【０００８】
また、浴室の蛇口１１６にてお湯を出すと、開閉操作信号ｅが前記操作部１０５に入りお湯を使い始めたことが検知でき、浴室制御部１０６は前記操作部１０５から操作信号ｆを受け、浴室送受信信号ｈを介して前記通信部１０８を経て通信信号ｄによってお湯の供給要求を貯湯装置に伝えることができる。
【０００９】
一方、貯湯装置は、各リモコンからの通信信号を受ける通信部１０９、貯湯装置の制御を行う貯湯制御部１１１、貯湯槽の加熱を行うヒートポンプ部１１２、お湯を貯めておく貯湯槽１１３、水またはお湯の配水路である水路ア〜エ、給水弁１１４、給湯弁１１５、電源部１１０などを具備している。
【００１０】
貯湯装置は、前記台所リモコン装置および浴室リモコン装置から通信信号ｄを受けると前記通信部１０９で各リモコン装置からの貯湯装置への要求を抽出し貯湯送受信信号ｊにて前記貯湯制御部１１１に送る。前記貯湯制御部１１１は各リモコン装置からの要求に対応して前記貯湯槽１１３の温度を制御する。
【００１１】
各リモコン装置からの要求に対して前記貯湯槽１１３のお湯の温度が低い場合は、前記貯湯制御部１１１はヒートポンプ制御信号ｋにより前記ヒートポンプ部１１２を起動して加熱し、温度が高すぎる場合、または前記貯湯槽１１３の水量が所定水量よりも少ない場合は、前記水路アで水道から引いた水を給水制御信号ｍにて前記給水弁１１４を開いて前記貯湯槽１１３に入れる。
【００１２】
前記貯湯槽で出来たお湯は、前記水路ウにより配水され前記給湯弁１１５により水量を制御される。前記給湯弁から台所、浴室の各々の場所に前記水路エによって配水される。
【００１３】
図１５の例は、浴室の場合であるが、同様の方法で台所にも別個に前記水路エを配置することでお湯の供給と温度設定を個別に行うことが可能である。また、前記電源部１１０は、給湯装置各部の電源を生成しており貯湯装置内の各部と、通信電源ｉを前記通信部１０９から通信信号線を介して各リモコン装置に供給している。
【００１４】
図１５は従来の浴室リモコン装置における送信制御の内容を示したものである。前述のとおり浴室の前記蛇口１１６、前記操作部１０５の操作入力が行われると、その内容が操作信号ｆで前記浴室制御部１０６に送られ、前記浴室制御部１０６にて貯湯装置へ要求する設定値が決定する。
【００１５】
前記浴室制御部１０６は決定した設定値を浴室送受信信号ｈで前記通信部１０８に送り、通信信号ｄにて貯湯装置に送信される。同時に、前記浴室制御部１０６は送信した内容を表示信号ｇで前記表示部１０７に送って表示を行う。
【先行技術文献】
【特許文献】
【００１６】
【特許文献１】特開２００１−３５３２００号公報
【発明の概要】
【発明が解決しようとする課題】
【００１７】
しかしながら上記従来の構成では、過去の設定のまま運転してしまうことがあったため、使用者の所望していない温度で運転させてしまうことがあり、特に浴室での使用で無駄な電力・給水を招くことがあった。また設定は使用者の感覚によって手動で行われるので必ずしも使用者にとって最適ではない設定で運転してしまうことがあった。
【００１８】
更に、使用者が省電力・節水を行う場合、使用者一人一人の使用状況が明確に分かる必要があるが、従来の給湯装置およびリモコン装置では使用者一人一人の電力および水量の使用状況を知ることはできないため、効果的な省電力・節水を行うことができない。
【００１９】
本発明は上記課題を解決するため、リモコン装置にカメラを具備することで予め記憶した顔画像を基に個々の使用者の温度設定、設定の補正、電力量、水量、省電力・節水の目標を記憶することで、自動で使用者ごとに最適な設定を行って省電力・節水を促進することができる制御方法を有する給湯装置およびリモコン装置の提供を目的とする。
【課題を解決するための手段】
【００２０】
上記目的を達成するために、本発明の請求項１の給湯装置は、浴室への入室の有無を検
出できる入室検出部、カメラ部、前記カメラ部からの画像情報から入室者の顔画像情報を抽出する顔画像抽出部、給湯装置の設定情報を記憶する記憶部と、前記入室検出部、前記カメラ部、前記顔画像抽出部および前記記憶部を制御して、予め使用者の顔画像情報と最適設定値を関連付けて前記記憶部に記憶しておき、入浴時には入室者の顔画像情報を抽出して前記記憶部に記憶されている設定情報から自動的に使用者ごとに最適な設定を貯湯装置に送信して運転させることを可能とした浴室制御部を備えたことを特徴としている。
【００２１】
また、本発明の請求項２の給湯装置は、操作から設定変更内容を抽出する変更抽出部、変更抽出部からの変更信号に対応した記憶部と、前記変更抽出部、前記記憶部を制御して、予め使用者の顔画像情報と関連付けられた最適設定値に変更が加えられた際に前記変更抽出部が抽出した変更を行って新たな最適設定値として記憶することで、自動的に使用者ごとの設定値をより最適な設定値に補正して貯湯装置を運転させることを可能とした浴室制御部を備えたことを特徴としている。
【００２２】
本発明の請求項３の給湯装置は、貯湯装置に取り付けた温湿度センサ、前記温湿度センサの信号に対応した貯湯制御部、前記貯湯制御部からの温湿度情報に対応した変更抽出部および記憶部を制御して、補正された最適設定値と補正した時の温湿度情報を複数記憶しておき、以降の設定では自動的に外気の温湿度を考慮した上で、使用者ごとの設定値がより最適となるように補正して貯湯装置を運転させることを可能とした浴室制御部を備えたことを特徴としている。
【００２３】
本発明の請求項４の給湯装置は、給湯装置が設置されている地域と時間（年月日を含む）を認識できる時間・地域情報部、前記時間・地域情報部に対応した変更抽出部および記憶部６０３を制御して、補正された最適設定値と補正した時の地域と時間を複数記憶しておき、以降の設定においては設定を行う際の地域と時間を考慮して自動的に使用者ごとの設定値をより最適な設定値に補正して貯湯装置を運転させることにより、季節による使用者ごとの設定の詳細な違いを自動的に判別することでより最適な設定値に補正して貯湯装置を運転させることを可能とした浴室制御部を備えたことを特徴としている。
【００２４】
本発明の請求項５の給湯装置は、電力量を検出できる貯湯装置の電源部、給湯路に取り付けた水量計、前記電源部と前記水量計からの信号に対応した貯湯制御部、前記貯湯制御部からの電力・水量情報に対応した変更抽出部と記憶部を制御して、使用している電力・水量を逐次計測し、その値を加算記憶することで累積消費電力・累積消費水量を算出して表示することができ、加えて過去の設定値と累積消費電力・累積消費水量の結果を表示することで、自動的に使用者ごとの設定値をより最適な設定値に補正して貯湯装置を運転させると共に使用者がより正確に省電力・節水を推進することを可能とした浴室制御部を備えたことを特徴としている。
【００２５】
本発明の請求項６の給湯装置は、予め使用者が目標とする温度・省電力・節水目標値を使用者の顔画像情報と、最適設定値、電力・水量情報、時間・地域情報と共に関連付けて記憶する記憶部８０３、前記記憶部に記憶されている使用者が目標とする省電力・節水目標値と入浴中の消費電力・消費水量の累計値を比較・判定を行うＥＣＯ判定部８０２、音声信号を再生できる音声再生部８０４を制御して、使用者が目標とする温度・省電力・節水目標値に対して累積消費電力・累積消費水量が超過または接近している場合に警告表示・音声報知を行い、更に入浴中は使用者が目標とする温度・省電力・節水目標値に対して超過した設定をしようとしている場合は、て警告表示・音声報知を行って設定を抑制することで、自動的に使用者ごとの設定値をより最適な設定値に補正して貯湯装置を運転させると共に使用者がより正確に省電力・節水を推進することを可能とした浴室制御部を備えたことを特徴としている。
【発明の効果】
【００２６】
本発明によれば、使用者の顔画像情報から自動的に最適な設定を行うので過去の設定のまま誤った運転することが無く、あいまいな経験値で設定するのではなく、個別の使用者にとって最適な設定を自動的に設定して運転するので、無駄な電力・給水を行うことが無い。更に、省電力・節水を行う場合の個別の使用状況が明確に分かるので、効果的な省電力・節水を行うことができる。
【図面の簡単な説明】
【００２７】
【図１】本発明の実施の形態１における給湯機のブロック図
【図２】本発明の実施の形態１におけるフローチャート
【図３】本発明の実施の形態１における給湯機の第２の例のブロック図
【図４】本発明の実施の形態２における給湯機のブロック図
【図５】本発明の実施の形態２におけるフローチャート
【図６】本発明の実施の形態３における給湯機のブロック図
【図７】本発明の実施の形態３におけるフローチャート
【図８】本発明の実施の形態４における給湯機のブロック図
【図９】本発明の実施の形態４におけるフローチャート
【図１０】本発明の実施の形態５における給湯機のブロック図
【図１１】本発明の実施の形態５におけるフローチャート
【図１２】本発明の実施の形態６における給湯機のブロック図
【図１３】本発明の実施の形態６におけるＥＣＯ表示・音声報知のフローチャート
【図１４】従来の給湯機のブロック図
【図１５】従来の給湯機のフローチャート
【発明を実施するための形態】
【００２８】
以下に、本発明の実施の形態について、図面を参照しながら説明する。
【００２９】
（実施の形態１）
図１は、本発明の実施の形態１における給湯装置およびそのリモコン装置のブロック図である。なお、図１４の従来例と同一機能を有する部分は同一符号を付して説明を省略する。また、浴室リモコン装置と貯湯装置との間で、本発明の実施の形態について述べるものとする。
【００３０】
図１で浴室リモコン装置は図１４の従来例に対し、浴室への入室の有無を検出できる入室検出部２０１、カメラ部２０２、前記カメラ部２０２からの画像情報から入室者の顔画像情報を抽出する顔画像抽出部２０３、給湯装置の設定情報を記憶する記憶部２０５、前記入室検出部２０１、前記カメラ部２０２、前記顔画像抽出部２０３および前記記憶部２０５を制御する浴室制御部２０４を新たに具備する。
【００３１】
予め使用者は、浴室リモコン装置の前記操作部１０５を操作して前記浴室制御部２０４に入浴時の最適な設定を登録する。登録した設定は、前記浴室制御部２０４からの設定信号ｑで前記記憶部２０５に記憶される。
【００３２】
更に、浴室制御部２０４は前記カメラ部２０２にカメラ制御信号ｎを送信して撮像を開始し、前記カメラ部２０２からのカメラ信号を受けた前記顔画像抽出部２０３は使用者の顔画像情報を抽出し、顔画像抽出信号ｐを前記浴室制御部２０４に送る。前記浴室制御部２０４は使用者の顔画像情報を登録した給湯装置の設定情報と関連付けて前記記憶部２０５に記憶する。
【００３３】
その後、入浴の際に前記入室検出部２０１が入室を検出して入室信号ｒにより前記浴室
制御部２０４に通知することで、前記カメラ部２０２にカメラ制御信号ｎを送信して撮像を自動的に開始する。前記カメラ部２０２からのカメラ信号を受けた前記顔画像抽出部２０３は入室者の顔画像情報を抽出し、顔画像抽出信号ｐを前記浴室制御部２０４に送る。
【００３４】
前記浴室制御部２０４は使用者の顔画像情報を基に前記記憶部２０５に関連付けて登録した給湯装置の設定情報を前記記憶部２０５から設定信号ｑを介して取得し、浴室送受信信号ｈで前記通信部１０８に送って通信信号ｄによって貯湯装置に設定が成される。
【００３５】
次に図２にて、本発明の実施の形態１におけるリモコン装置の制御手順について説明する。
【００３６】
図２の左側のフローチャートは本発明の実施の形態１におけるリモコン装置において、予め使用者が浴室リモコン装置の前記操作部１０５を操作して、顔画像情報と給湯装置の設定情報を関連付けて前記記憶部２０５に記憶する制御手順を示している。
【００３７】
浴室制御部２０４は前記カメラ部２０２にカメラ制御信号ｎを送信してカメラの撮像設定を行い撮像を開始し、前記カメラ部２０２からのカメラ信号を受けた前記顔画像抽出部２０３は使用者の顔画像情報を抽出し、顔画像抽出信号ｐを前記浴室制御部２０４に送る。
【００３８】
前記カメラ部は顔画像が撮れて顔画像情報が前記顔画像抽出部２０３で取得できるまで撮像を繰り返す。前記浴室制御部２０４は使用者の顔画像情報を取得した後、登録した給湯装置の設定情報と関連付けて前記記憶部２０５に記憶する。
【００３９】
もしも、設定値の入力がされていない場合、前記表示部１０７にて警告表示を行い、設定値登録を完了する。顔画像情報と設定値の関連付けを前記浴室制御部２０４が行って前記記憶部に記憶される。
【００４０】
また図２の右側のフローチャートは本発明の実施の形態１におけるリモコン装置において、入浴の際に前記入室検出部２０１が入室を検出して入室信号ｒにより前記浴室制御部２０４に通知する。一定時間確認を行うなどして入室が確認された後、前記浴室制御部は前記カメラ部２０２にカメラ制御信号ｎを送信して撮像を自動的に開始する。
【００４１】
前記カメラ部は顔画像が撮れて顔画像情報が前記顔画像抽出部２０３で取得できるまで撮像を繰り返す。前記カメラ部２０２からのカメラ信号を受けた前記顔画像抽出部２０３は入室者の顔画像情報を抽出し、顔画像抽出信号ｐを前記浴室制御部２０４に送る。
【００４２】
前記浴室制御部２０４は使用者の顔画像情報を基に前記記憶部２０５に関連付けて登録した給湯装置の設定情報を検索し一致した設定情報が見つかった場合は前記記憶部２０５から設定信号ｑを介して取得し、浴室送受信信号ｈで前記通信部１０８に送って通信信号ｄによって貯湯装置に設定が成される。
【００４３】
一致するものが見つからない場合は、標準として予め決めたデフォルト設定を代替設定として設定し、前記表示部１０７にて表示する。
【００４４】
このように本実施の形態では、予め使用者の顔画像情報と最適設定値を関連付けて前記記憶部２０５に記憶しておき、入浴時には前記入室検出部２０１、前記カメラ部２０２、顔画像抽出部２０３により入室者の顔画像情報を抽出して前記記憶部２０５に記憶されている設定情報から自動的に使用者ごとに最適な設定を抽出して貯湯装置を運転させることを可能としている。
【００４５】
なお、上記では前記カメラ部２０２、前記顔画像抽出部２０３、前記記憶部２０５を浴室リモコン装置内にのみ１つずつ設けたが、図３に示す本発明の実施の形態１の別の構成で示すように前記カメラ部２０２、前記顔画像抽出部２０３は、他のリモコン装置にも設けても良い。また、前記記憶部２０５は、貯湯装置またはリモコン装置の少なくとも１つに備えることが必要である。
【００４６】
図３の構成の場合、予め使用者が台所リモコン装置の前記操作部１０５を操作して台所制御部３０１に入浴時の最適な設定を登録する。登録した設定は、操作信号ａを介して前記台所制御部３０１からの台所送受信信号ｃで前記通信部１０４に送られる。前記通信部１０４は通信信号ｄを介して浴室リモコン装置の通信部１０８に送られ、浴室送受信信号ｈを介して浴室制御部３０４に送られ設定信号ｑにて記憶部２０５に記憶される。
【００４７】
更に、台所制御部３０１は前記カメラ部３０２にカメラ制御信号ｎを送信して撮像を開始し、前記カメラ部３０２からのカメラ信号を受けた前記顔画像抽出部３０３は使用者の顔画像情報を抽出し、顔画像抽出信号ｐを前記台所制御部３０１からの台所送受信信号ｃで前記通信部１０４に送られる。
【００４８】
前記通信部１０４は通信信号ｄを介して浴室リモコン装置の通信部１０８に送られ、浴室送受信信号ｈを介して浴室制御部３０４に送られる。前記浴室制御部２０４は使用者の顔画像情報を登録した給湯装置の設定情報と関連付けて前記記憶部２０５に記憶する。
【００４９】
入浴時も上記と同様に前記台所制御部３０１と前記浴室制御部３０４の間で顔画像情報を通信することで、浴室リモコン装置内の前記記憶部２０５に記憶した設定情報を取り出すことができ、図１の場合と同じく自動的に使用者ごとに最適な設定を抽出して貯湯装置を運転させることが可能である。
【００５０】
このように、台所リモコン装置にもカメラ部、顔画像抽出部を設けて相互の制御部の間で設定情報と顔画像情報を通信することで、記憶部が装置にあっても本発明の実施の形態１を実現することができる。
【００５１】
（実施の形態２）
図４は、本発明の実施の形態２における給湯装置およびそのリモコン装置のブロック図である。
【００５２】
本発明の実施の形態２において、実施の形態１における予め使用者の顔画像情報と最適設定値を関連付けて前記記憶部２０５に記憶しておき、入浴時には前記入室検出部２０１、前記カメラ部２０２、顔画像抽出部２０３により入室者の顔画像情報を抽出して前記記憶部２０５に記憶されている設定情報から自動的に使用者ごとに最適な設定を抽出して貯湯装置を運転させる構成および制御手順は同様である。本発明の実施の形態２の特徴は入浴中の使用者が設定変更を行う場合である。
【００５３】
図４で浴室リモコン装置は図１の実施の形態１に対し、前記操作部１０５からの操作信号ａから設定変更内容を抽出する変更抽出部４０１、変更抽出部からの変更信号ｓに対応した記憶部４０２、前記変更抽出部４０１、前記記憶部４０２の制御を行う浴室制御部４０３を新たに具備することで入浴中に前記操作部１０５により設定情報を変更する操作をした場合、前記操作部１０５からの操作信号ｆから前記変更抽出部４０１は変更された設定情報を抽出して変更信号ｓを記憶部４０２に送ることによって、予め使用者の顔画像情報と最適設定値を関連付けて前記記憶部２０５に記憶していた最適設定値に変更が生じたとみて前記変更抽出部４０１が抽出した変更を使用者の顔画像情報と関連付けられていた
設定値に行い、新たな最適設定値として補正して記憶する。
【００５４】
次に図５にて、本発明の実施の形態１におけるリモコン装置の制御手順について説明する。入浴中に前記操作部１０５により設定情報を変更する操作をした場合、前記操作部１０５からの操作信号ｆから前記変更抽出部４０１は変更された設定情報を抽出して変更信号ｓを記憶部４０２に送ることによって、予め使用者の顔画像情報と最適設定値を関連付けて前記記憶部２０５に記憶していた最適設定値に変更が生じたとみて前記変更抽出部４０１が抽出した変更を使用者の顔画像情報と関連付けられていた設定値に行い、新たな最適設定値として補正して記憶する。
【００５５】
なお、前記変更抽出部４０１の動作を前記浴室制御部４０３でソフトウェアによって実現することも可能である。
【００５６】
このように本実施の形態では、前記操作部１０５からの操作信号ａから設定変更内容を抽出する変更抽出部４０１、変更抽出部からの変更信号ｓに対応した記憶部４０２、前記変更抽出部４０１、前記記憶部４０２の制御を行う浴室制御部４０３を新たに具備することで、予め使用者の顔画像情報と関連付けられた最適設定値に変更が加えられた際に、前記変更抽出部４０１が抽出した変更を使用者の顔画像情報と関連付けられていた設定値に行い、新たな最適設定値として記憶することで、自動的に使用者ごとの設定値をより最適な設定値に補正して貯湯装置を運転させることを可能としている。
【００５７】
（実施の形態３）
図６は、本発明の実施の形態３における給湯装置およびそのリモコン装置のブロック図である。
【００５８】
図６では図４の実施の形態２に対し、貯湯装置に取り付けられた温湿度センサ５０１、前記温湿度センサ５０１の信号に対応した貯湯制御部５０２、前記貯湯制御部５０２からの温湿度情報に対応した浴室制御部５０３、変更抽出部５０４、記憶部５０５を新たに具備することで入浴中に浴室リモコン装置の前記操作部１０５により設定情報を変更する操作をした場合、前記操作部１０５からの操作信号ｆから前記変更抽出部４０１は変更された設定情報を抽出して変更信号ｓを記憶部４０２に送る。
【００５９】
前記浴室制御部５０３は、温湿度情報を送るよう浴室送受信信号ｈを介して前記通信部１０８、通信信号ｄを介して貯湯装置の通信部１０９、貯湯送受信信号ｊを介して前記貯湯制御部５０２に要求を送信する。前記浴室制御部５０３から要求を受けた貯湯制御部５０２は前記温湿度センサ５０１の出力する温湿度信号ｔを読み取って貯湯送受信信号ｊを介して貯湯装置の通信部１０９、通信信号ｄを介して浴室リモコン装置の通信部１０８、浴室送受信信号ｈを介して前記浴室制御部５０３に温湿度情報が返信される。前記浴室制御部は温湿度情報信号ｕとして前記変更抽出部５０４に送る。
【００６０】
前記変更抽出部５０４は、予め使用者の顔画像情報と最適設定値を関連付けて前記記憶部２０５に記憶していた最適設定値に変更が生じたとみて前記変更抽出部４０１が抽出した変更を使用者の顔画像情報と関連付けられていた設定値に行い、新たな最適設定値として補正して記憶するが、このとき同時に温湿度情報信号ｕから得た温湿度情報も関連付けして新たな設定値として記憶する。
【００６１】
その後、入浴の際に前記入室検出部２０１が入室を検出して入室信号ｒにより前記浴室制御部５０３に通知すると、前記カメラ部２０２にカメラ制御信号ｎを送信して撮像を自動的に開始する。前記カメラ部２０２からのカメラ信号を受けた前記顔画像抽出部２０３は入室者の顔画像情報を抽出し、顔画像抽出信号ｐを前記浴室制御部２０４に送る。
【００６２】
前記浴室制御部２０４は使用者の顔画像情報を基に前記記憶部５０５に関連付けて登録した給湯装置の設定情報を前記記憶部５０５から設定信号ｑを介して取得するが、このとき同時に前回設定値を記憶したときの温湿度情報を含めて複数の設定値が得られる。
【００６３】
そこで、前記浴室制御部５０３は、温湿度情報を送るよう浴室送受信信号ｈを介して前記通信部１０８、通信信号ｄを介して貯湯装置の通信部１０９、貯湯送受信信号ｊを介して前記貯湯制御部５０２に要求を送信する。
【００６４】
前記浴室制御部５０３から要求を受けた貯湯制御部５０２は前記温湿度センサ５０１の出力する温湿度信号ｔを読み取って貯湯送受信信号ｊを介して貯湯装置の通信部１０９、通信信号ｄを介して浴室リモコン装置の通信部１０８、浴室送受信信号ｈを介して前記浴室制御部５０３に温湿度情報が返信され、返信された温湿度情報と複数ある設定値に関連付けされた記憶したときの温湿度情報を比較して同等と見なせる範囲に温湿度情報がある設定値を選択し、浴室送受信信号ｈで前記通信部１０８に送って通信信号ｄによって貯湯装置に設定が成される。
【００６５】
次に図７にて、本発明の実施の形態３におけるリモコン装置の制御手順について説明する。
【００６６】
入浴中に前記変更抽出部５０４は前記操作部１０５からの操作信号ｆで操作の有無を監視している。操作信号ｆが入ると、設定情報を変更する操作をしたかどうかを前記変更抽出部５０４は変更抽出する。同時に前記浴室制御部５０３は前記貯湯制御部５０２から前記温湿度センサ５０１の出力する温湿度情報を得て前記変更抽出部５０４に送る。
【００６７】
前記変更抽出部５０４は変更信号ｓを記憶部５０５に送ることによって、予め使用者の顔画像情報と最適設定値を関連付けて前記記憶部２０５に記憶していた最適設定値を変更すると共に温湿度情報も関連付けして新たな設定値として追加・記憶する。なお、前記変更抽出部５０４の動作を前記浴室制御部５０３でソフトウェアによって実現することも可能である。
【００６８】
このように本実施の形態では、貯湯装置に取り付けられた温湿度センサ５０１、前記温湿度センサ５０１の信号に対応した貯湯制御部５０２、前記貯湯制御部５０２からの温湿度情報に対応した浴室制御部５０３、変更抽出部５０４、記憶部５０５を新たに具備することで、補正された最適設定値と補正した時の温湿度情報を複数記憶しておき、以降の設定においては外気の温湿度を考慮して自動的に使用者ごとの設定値をより最適な設定値に補正して貯湯装置を運転させることを可能としている。
【００６９】
（実施の形態４）
図８は、本発明の実施の形態４における給湯装置およびそのリモコン装置のブロック図である。
【００７０】
図８では図４の実施の形態２に対し、給湯装置が設置されている地域と時間（年月日を含む）を認識できる時間・地域情報部６０１、前記時間・地域情報部６０１の信号に対応した変更抽出部６０２、時間・地域情報に対応した記憶部６０３、浴室制御部６０４を新たに具備することで、入浴中に浴室リモコン装置の前記操作部１０５により設定情報を変更する操作をした場合、前記操作部１０５からの操作信号ｆから前記変更抽出部６０２は変更された設定情報を抽出すると共に、前記時間・地域情報部６０１からの時間・地域情報信号ｖから時間・地域情報を抽出する。
【００７１】
前記変更抽出部６０２は、予め使用者の顔画像情報と最適設定値を関連付けて前記記憶部６０３に記憶していた最適設定値に変更が生じたとみて抽出した変更を使用者の顔画像情報と関連付けられていた設定値に行い、新たな最適設定値として補正して記憶するが、このとき同時に時間・地域情報も関連付けして新たな設定値とし、変更信号ｓを記憶部６０３に送って記憶する。
【００７２】
その後、入浴の際に前記入室検出部２０１が入室を検出して入室信号ｒにより前記浴室制御部５０３に通知すると、前記カメラ部２０２にカメラ制御信号ｎを送信して撮像を自動的に開始する。前記カメラ部２０２からのカメラ信号を受けた前記顔画像抽出部２０３は入室者の顔画像情報を抽出し、顔画像抽出信号ｐを前記浴室制御部６０４に送る。
【００７３】
前記浴室制御部６０４は使用者の顔画像情報を基に前記記憶部６０３に関連付けて登録した給湯装置の設定情報を設定信号ｑを介して取得するが、このとき同時に前回設定値を記憶したときの地域・時間情報を含めて複数の設定値が得られる。
【００７４】
そこで、前記浴室制御部６０４は、前記時間・地域情報部から現在の時間・地域情報を得て複数ある設定値に関連付けされた記憶したときの時間・地域情報と比較して同等と見なせる範囲に時間と地域がある設定値を選択し、浴室送受信信号ｈで前記通信部１０８に送って通信信号ｄによって貯湯装置に設定が成される。
【００７５】
次に図９にて、本発明の実施の形態４におけるリモコン装置の制御手順について説明する。
【００７６】
入浴中に前記変更抽出部６０２は前記操作部１０５からの操作信号ｆで操作の有無を監視している。操作信号ｆが入ると、設定情報を変更する操作をしたかどうかを前記変更抽出部６０２は抽出する。同時に前記浴室制御部６０４は前記時間・地域情報部６０１から時間・地域情報を得て前記変更抽出部６０２に送る。
【００７７】
前記変更抽出部６０２は変更信号ｓを記憶部６０３に送ることによって、予め使用者の顔画像情報と最適設定値を関連付けて前記記憶部６０３に記憶していた最適設定値を変更すると共に時間・地域情報も関連付けして新たな設定値として追加・記憶する。なお、前記変更抽出部６０２の動作を前記浴室制御部６０４でソフトウェアによって実現することも可能である。
【００７８】
このように本実施の形態では、給湯装置が設置されている地域と時間（年月日を含む）を認識できる時間・地域情報部６０１、前記時間・地域情報部６０１の信号に対応した変更抽出部６０２、時間・地域情報に対応した記憶部６０３、浴室制御部６０４を新たに具備することで、補正された最適設定値と補正した時の地域と時間を複数記憶しておき、以降の設定においては設定を行う際の地域と時間を考慮して自動的に使用者ごとの設定値をより最適な設定値に補正して貯湯装置を運転させることを可能としている。
【００７９】
すなわち、地域と時間が限定できることで季節による使用者ごとの設定の詳細な違いを自動的に判別することでより最適な設定値に補正して貯湯装置を運転させることを可能としている。
【００８０】
（実施の形態５）
図１０は、本発明の実施の形態５における給湯装置およびそのリモコン装置のブロック図である。図１０では図４の実施の形態２に対し、電力量を検出できる貯湯装置の電源部７０１、水路エに取り付けられた水量計７０２、前記電源部７０１と前記水量計７０２からの信号に対応した貯湯制御部７０３、前記貯湯制御部７０３からの電力・水量情報に対
応した浴室制御部７０４、変更抽出部７０５、記憶部７０６を新たに具備することで、前記浴室制御部７０４は、電力・水量情報を送るよう浴室送受信信号ｈを介して前記通信部１０８、通信信号ｄを介して貯湯装置の通信部１０９、貯湯送受信信号ｊを介して前記貯湯制御部７０３に要求を送信する。
【００８１】
要求を受けた貯湯制御部７０３は前記電源部７０１が出力する電力信号ｗと前記水量計７０２が出力する水量信号ｘを読み取って貯湯送受信信号ｊを介して貯湯装置の通信部１０９、通信信号ｄを介して浴室リモコン装置の通信部１０８、浴室送受信信号ｈを介して前記浴室制御部７０４に電力・水量情報が返信される。
【００８２】
これにより、前記浴室制御部７０４は使用している電力・水量を逐次計測することができ、その値を加算記憶することで累積消費電力・累積消費水量を算出して前記表示部１０７に表示することができる。
【００８３】
更に、入浴中に浴室リモコン装置の前記操作部１０５により設定情報を変更する操作をした場合、前記操作部１０５からの操作信号ｆから前記変更抽出部７０５は変更された設定情報を抽出して変更信号ｓを記憶部７０６に送ると共に、前記浴室制御部７０４は、前回設定が変更された時点からの累積消費電力・累積消費水量を算出し、電力・水量情報信号ｙとして前記変更抽出部７０５に送る。
【００８４】
前記変更抽出部７０５は、予め使用者の顔画像情報と最適設定値を関連付けて前記記憶部７０６に記憶していた最適設定値に変更が生じたとみて前記変更抽出部７０５が抽出した変更を使用者の顔画像情報と関連付けられていた設定値に行い、新たな最適設定値として補正して記憶するが、このとき同時に変更前の設定値に累積消費電力と累積消費水量を関連付けして旧設定値の記録として記憶し、必要に応じて設定値と累積消費電力と累積消費水量の結果を表示することができる。
【００８５】
次に図１１にて、本発明の実施の形態５におけるリモコン装置の制御手順について説明する。
【００８６】
入浴中、前記浴室制御部７０４は前記貯湯制御部７０３から電力・水量情報を逐次要求し受け取って累積算出を行っている。算出された累積値は、設定信号ｑにより前記記憶部７０６に使用者の顔画像情報と設定値と共に関連付けて記憶される。これらの動作は退出するまで続けられる。
【００８７】
更に、前記変更抽出部７０５は前記操作部１０５からの操作信号ｆで操作の有無を監視して、操作信号ｆが入ると設定情報の変更をしたかどうかを前記変更抽出部７０５は抽出する。設定に変更があった場合、前記変更抽出部７０５は変更信号ｓを前記記憶部７０６に送ることによって、予め使用者の顔画像情報と新たな最適設定値を関連付けて追加記憶する。
【００８８】
新たな設定情報は、前記浴室制御部７０４より緒等装置に送信され、同時に今まで累積算出されていた消費電力・水量情報を０に戻す。その後は、入浴者が退出するまで前述のように前記浴室制御部７０４は前記貯湯制御部７０３から電力・水量情報を逐次要求し受け取って累積算出を行い、算出された累積値を設定信号ｑにより前記記憶部７０６に使用者の顔画像情報と設定値と共に関連付けて記憶する。なお、前記変更抽出部７０５の動作を前記浴室制御部７０４でソフトウェアによって実現することも可能である。
【００８９】
このように本実施の形態では、電力量を検出できる貯湯装置の電源部７０１、水路エに取り付けられた水量計７０２、前記電源部７０１と前記水量計７０２からの信号に対応し
た貯湯制御部７０３、前記貯湯制御部７０３からの電力・水量情報に対応した浴室制御部７０４、変更抽出部７０５、記憶部７０６を新たに具備することで、使用している電力・水量を逐次計測して、その値を加算記憶することで累積消費電力・累積消費水量を算出して表示することができ、更に過去に設定した値にと累積消費電力・累積消費水量の結果を表示することができるので、自動的に使用者ごとの設定値をより最適な設定値に補正して貯湯装置を運転させると共に使用者がより正確に省電力・節水を推進することを可能としている。
【００９０】
（実施の形態６）
図１２は、本発明の実施の形態６における給湯装置およびそのリモコン装置のブロック図である。
【００９１】
図１２では図１０の実施の形態５に対し、予め使用者が目標とする温度・省電力・節水目標値を使用者の顔画像情報と、最適設定値、電力・水量情報、時間・地域情報と共に関連付けて記憶する記憶部８０３、前記記憶部に記憶されている使用者が目標とする省電力・節水目標値と入浴中の消費電力・消費水量の累計値を比較・判定を行うＥＣＯ判定部８０２、音声信号を再生できる音声再生部８０４と、前記記憶部８０３、前記ＥＣＯ判定部８０２、前記音声再生部に対応した制御を行う浴室制御部８０１を新たに具備している。
【００９２】
実施の形態６においても実施の形態１と同様に、予め使用者は浴室リモコン装置の前記操作部１０５を操作して前記浴室制御部８０１に入浴時の最適な設定を登録する。登録した設定は、前記浴室制御部８０１からの設定信号ｑで前記記憶部８０３に記憶される。
【００９３】
更に、浴室制御部８０１は前記カメラ部２０２にカメラ制御信号ｎを送信して撮像を開始し、前記カメラ部２０２からのカメラ信号を受けた前記顔画像抽出部２０３は使用者の顔画像情報を抽出し、顔画像抽出信号ｐを前記浴室制御部８０１に送る。
【００９４】
前記浴室制御部８０１は使用者の顔画像情報と給湯装置の設定情報と関連付けて前記記憶部８０３に記憶する。ここで実施の形態６では、使用者の顔画像情報と関連づけて記憶する情報に使用者が目標とする温度・省電力・節水目標値を含めることができる。
【００９５】
次に、入浴時に前記浴室制御部８０１は、実施の形態５と同様に電力・水量情報を送るよう浴室送受信信号ｈを介して前記通信部１０８、通信信号ｄを介して貯湯装置の通信部１０９、貯湯送受信信号ｊを介して前記貯湯制御部７０３に要求を送信する。
【００９６】
要求を受けた貯湯制御部７０３は前記電源部７０１が出力する電力信号ｗと前記水量計７０２が出力する水量信号ｘを読み取って貯湯送受信信号ｊを介して貯湯装置の通信部１０９、通信信号ｄを介して浴室リモコン装置の通信部１０８、浴室送受信信号ｈを介して前記浴室制御部８０１に電力・水量情報が返信される。
【００９７】
これにより、前記浴室制御部８０１は使用している電力・水量を逐次計測することができ、その値を加算記憶することで累積消費電力・累積消費水量を算出して前記表示部１０７に表示することができる。
【００９８】
実施の形態６では、更にこのときの累積消費電力・累積消費水量を前記浴室制御部８０１は電力・水量情報信号ｙにより前記ＥＣＯ判定部８０２に出し、使用者が目標とする温度・省電力・節水目標値を前記記憶部８０３がＥＣＯ設定信号ｚにより前記ＥＣＯ判定部８０２に出す。
【００９９】
前記ＥＣＯ判定部８０２は、電力・水量情報信号ｙから累積消費電力・累積消費水量を
、ＥＣＯ設定信号ｚから使用者が目標とする温度・省電力・節水目標値を抽出して比較した結果を判定信号Ａとして前記浴室制御部８０１に戻す。
【０１００】
前記浴室制御部８０１は、判定信号Ａに基づいて目標値に対して累積消費電力・累積消費水量が超過または接近している場合は、前記表示部１０７にて警告表示を行い、また音声信号Ｂにより前記音声再生部８０４にて音声報知を行うことができる。
【０１０１】
更に、入浴中に浴室リモコン装置の前記操作部１０５により設定情報を変更する操作をした場合、前記操作部１０５からの操作信号ｆから前記ＥＣＯ判定部８０２は変更された設定情報を抽出し、使用者が目標とする温度・省電力・節水目標値と比較した結果を判定信号Ａとして前記浴室制御部８０１に戻す。
【０１０２】
前記浴室制御部８０１は、判定信号Ａに基づいて目標値に対して超過した設定をしようとしている場合は、前記表示部１０７にて警告表示を行い、また音声信号Ｂにより前記音声再生部８０４にて音声報知を行うことができる。
【０１０３】
次に図１３にて、本発明の実施の形態６におけるリモコン装置の制御手順について説明する。入浴中、前記浴室制御部８０１は前記貯湯制御部７０３から電力・水量情報を逐次要求し受け取って累積算出を行っている。算出された累積値は、設定信号ｑにより前記記憶部８０３に使用者の顔画像情報と設定値と共に関連付けて記憶される。
【０１０４】
また、累積消費電力・累積消費水量を前記浴室制御部８０１は電力・水量情報信号ｙにより前記ＥＣＯ判定部８０２に出し、使用者が目標とする温度・省電力・節水目標値を前記記憶部８０３がＥＣＯ設定信号ｚにより前記ＥＣＯ判定部８０２に出す。
【０１０５】
前記ＥＣＯ判定部８０２は、電力・水量情報信号ｙから累積消費電力・累積消費水量を、ＥＣＯ設定信号ｚから使用者が目標とする温度・省電力・節水目標値を抽出して比較した結果を判定信号Ａとして前記浴室制御部８０１に戻す。
【０１０６】
前記浴室制御部８０１は、判定信号Ａに基づいて目標値に対して累積消費電力・累積消費水量が超過または接近している場合は、前記表示部１０７にて警告表示を行い、また音声信号Ｂにより前記音声再生部８０４にて音声報知を行う。
【０１０７】
これらの動作は退出するまで続けられる。更に、前記ＥＣＯ判定部８０２は前記操作部１０５からの操作信号ｆで操作の有無を監視して、操作信号ｆが入ると設定情報の変更をしたかどうかを抽出する。
【０１０８】
設定に変更があった場合、前記ＥＣＯ判定部８０２は、使用者が目標とする温度・省電力・節水目標値に対して超過した設定をしようとしている場合は、前記表示部１０７にて警告表示を行い、また音声信号Ｂにより前記音声再生部８０４にて音声報知を行って設定を無視し、使用者が目標とする温度・省電力・節水目標値の範囲内であれば、新たな設定情報は、前記浴室制御部８０１により貯湯装置に送信され、今まで累積算出されていた消費電力・水量情報を０に戻す。
【０１０９】
なお、前記ＥＣＯ判定部８０２の動作を前記浴室制御部８０１でソフトウェアによって実現することも可能である。
【０１１０】
このように本実施の形態では、実施の形態５に対し、予め使用者が目標とする温度・省電力・節水目標値を使用者の顔画像情報と、最適設定値、電力・水量情報、時間・地域情報と共に関連付けて記憶する記憶部８０３、前記記憶部に記憶されている使用者が目標と
する省電力・節水目標値と入浴中の消費電力・消費水量の累計値を比較・判定を行うＥＣＯ判定部８０２、音声信号を再生できる音声再生部８０４と、前記記憶部８０３、前記ＥＣＯ判定部８０２、前記音声再生部に対応した制御を行う浴室制御部８０１を新たに具備することで、使用者が目標とする温度・省電力・節水目標値に対して累積消費電力・累積消費水量が超過または接近している場合に警告表示・音声報知を行い、更に入浴中は使用者が目標とする温度・省電力・節水目標値に対して超過した設定をしようとしている場合は、前記表示部１０７にて警告表示を行い、また音声信号Ｂにより前記音声再生部８０４にて音声報知を行うことができるので、自動的に使用者ごとの設定値をより最適な設定値に補正して貯湯装置を運転させると共に使用者がより正確に省電力・節水を推進することを可能としている。
【産業上の利用可能性】
【０１１１】
本発明によれば、過去の設定や間違った設定で貯湯装置が運転されてしまうことを防止することが可能で、更にリモコンそのものが自動的に入浴者の顔画像情報から最適な設定にすることで、毎時快適でかつ省電力・節水が可能な運転設定ができる給湯装置およびリモコン装置が提供できる点で有用である。
【符号の説明】
【０１１２】
１０１、１０５  操作部
１０２、３０１  台所制御部
１０３、１０７  表示部
１０４、１０８、１０９  通信部
１０６、２０４、３０４、４０３、５０３、６０４、７０４、８０１  浴室制御部
１１０、７０１  電源部
１１１、５０２、７０３  貯湯制御部
１１２  ヒートポンプ部
１１３  貯湯槽
１１４  給水弁
１１５  給湯弁
１１６  蛇口
２０５、４０２、５０５、６０３、７０６、８０３  記憶部
【図１】
2012127561.tif 000003
【図２】
2012127561.tif 000004
【図３】
2012127561.tif 000005
【図４】
2012127561.tif 000006
【図５】
2012127561.tif 000007
【図６】
2012127561.tif 000008
【図７】
2012127561.tif 000009
【図８】
2012127561.tif 000010
【図９】
2012127561.tif 000011
【図１０】
2012127561.tif 000012
【図１１】
2012127561.tif 000013
【図１２】
2012127561.tif 000014
【図１３】
2012127561.tif 000015
【図１４】
2012127561.tif 000016
【図１５】
2012127561.tif 000017